(57)【要約】【課題】簡易で安価な構成でビルトイン機器と床との隙間を覆って見栄えを良くすることができ、什器とビルトイン機器とのデザイン的な統一感を出すことができる足元化粧材の取付構造を提供する。【解決手段】什器に予め組み込まれた床置き型のビルトイン機器と床との隙間を覆う足元化粧材の取付構造１において、折曲げ成形された足元化粧材２と、前記ビルトイン機器と接合する一対の取付具３と、これらの一対の取付具３に接合された裏板４と、を備え、足元化粧材２は、矩形状の前面プレート２０と、この前面プレート２０の上端で折り返された上面プレート２１と、この上面プレート２１の後端で折り返されて上面プレート２１との直交面を有する背面プレート２２と、を有し、裏板４は、背面プレート２２より幅が短く左右に指を挿入可能な隙間が形成されているとともに、板ナット５を介して背面プレート２２にボルト接合されている。【選択図】図３
2018171193.tif 000002
【特許請求の範囲】
【請求項１】
システムキッチンや家具などの什器に予め組み込まれた床置き型のビルトイン機器と床との隙間を覆う足元化粧材の取付構造であって、
折曲げ成形された足元化粧材と、前記ビルトイン機器と接合する一対の取付具と、これらの一対の取付具に接合された裏板と、を備え、
前記足元化粧材は、矩形状の前面プレートと、この前面プレートの上端で折り返された上面プレートと、この上面プレートの後端で折り返されて前記上面プレートとの直交面を有する背面プレートと、を有し、
前記裏板は、前記背面プレートより幅が短く左右に指を挿入可能な隙間が形成されているとともに、板ナットを介して前記背面プレートにボルト接合されていること
を特徴とする足元化粧材の取付構造。
【請求項２】
前記足元化粧材は、鋼板から折曲げ加工されていること
を特徴とする請求項１に記載の足元化粧材の取付構造。
【請求項３】
前記背面プレートには、上下に長い長孔が穿設され、前記裏板とのボルト接合が上下調整可能となっていること
を特徴とする請求項１又は２に記載の足元化粧材の取付構造。
【請求項４】
前記取付金具は、前方に斜面を有する直角三角形状の歯が形成され、前記ビルトイン機器に対して前方へ引出し自在に接合可能となっていること
を特徴とする請求項１ないし３のいずれかに記載の足元化粧材の取付構造。
【請求項５】
前記足元化粧材は、前記前面プレートの下端が折り返された底面プレートを有し、この底面プレートには、前記前面プレートの面と段違いに後退した面を有する蹴込部が形成されていること
を特徴とする請求項１ないし４のいずれかに記載の足元化粧材の取付構造。
【請求項６】
システムキッチンや家具などの什器に予め組み込まれた床置き型のビルトイン機器と床との隙間を覆う足元化粧材の取付構造であって、
折曲げ成形された足元化粧材と、前記ビルトイン機器と接合する一対の取付具と、これらの一対の取付具に接合された裏板と、を備え、
前記足元化粧材は、矩形状の前面プレートと、この前面プレートの上端で折り返された上面プレートと、この上面プレートの後端で折り返されて前記上面プレートとの直交面を有する背面プレートと、を有し、
前記足元化粧材と前記裏板とは、いずれか一方に先端が丸い突起が形成され、他方に前記突起と係合する係合凹部が形成されていること
を特徴とする足元化粧材の取付構造。
【発明の詳細な説明】
【技術分野】
【０００１】
本発明は、ビルトイン機器と床との間の隙間を覆って見栄えを良くする足元化粧材の取付構造に関する。
【背景技術】
【０００２】
従来、システムキッチンや家具などの什器に予め組み込まれた床置き型のビルトイン機器と床との隙間を覆って見栄えを良くする足元化粧材（蹴込み板ともいう）が設置されている。一般には、ビルトイン機器の製造会社と、キッチンや家具などの什器を製造・設置する会社が相違するため、この足元化粧材は、床との隙間を覆うだけでなく、什器と組み込んだビルトイン機器とのデザイン的な統一感を出す機能も有している。
【０００３】
このような背景があるため、什器を製造・設置する会社が、ビルトイン機器の製造会社が供給する取付金具に、他の什器と統一感のあるデザインとなった木質製や樹脂製のプレート状の足元化粧材を取り付けている。しかし、従来、取付金具にプレート状の足元化粧材を取り付ける場合は、ビルトイン機器に向かった正面から足元化粧材のプレートを貫通してビスやボルトなどの連結金具をねじ込むのが一般的である。その場合は、足元化粧材の正面にボルトやビスなどの連結金具の頭が見え、見栄えが悪くなり統一感のあるデザインが損なわれてしまうという問題があった。
【０００４】
例えば、特許文献１には、カバー取付具（１）の背面側に調整ボルト（４）の頭部（４１）を回動自在に保持する保持手段（５）を設け、カバー取付具（１）の調整ボルト（４）の頭部（４１）と対向する位置に、調整ボルト（４）を回動して位置調整可能とする調節用具を挿通するための透孔（１２）が設けられた蹴込みカバーの取付構造が開示されている（特許文献１の特許請求の範囲の請求項１、明細書の段落［００１５］〜［００２７］、図面の図５、図６等参照）。
【０００５】
しかし、特許文献１に記載の蹴込みカバーの取付構造では、樹脂製の蹴込みカバー（１０）の金属製のカバー取付具（１）への取付は、タッピングネジ（２７）を蹴込みカバーの正面からねじ込むことで行われている。このため、特許文献１に記載の蹴込みカバーの取付構造では、取付後に蹴込みカバーの奥行調整が可能となっているものの、タッピングネジ（２７）の頭が正面から見え、前記問題を解消することはできなかった。
【０００６】
また、特許文献２には、加熱室２と、前記加熱室内の被加熱物を加熱する加熱手段と、前記加熱室２を開閉する扉４と、前記加熱手段を制御する制御部５と、前記加熱手段の駆動を制御する操作部６とを備えた高周波加熱装置を、移動可能な台車７に載せて固定し、台車７の前面には、上下方向に調整可能な飾り板１０を有し、飾り板１０の位置調整によりキッチン１のケコミ部（足元の入り込み部）のラインと飾り板１０とを合わせる構成としたビルトイン型加熱装置が開示されている（特許文献１の特許請求の範囲の請求項１、明細書の段落［００１６］〜［００２５］、図面の図４〜図６等参照）。
【０００７】
しかし、特許文献２のビルトイン型加熱装置は、ビスにより側面から飾り板１０ｂが飾り板１０ａに固定されるとともに、裏板１０ｅの片側が飾り板１０ａに固定され、裏板１０ｅのもう一方が収納棚９に接合手段で固定されている構造である。このため、高さ調整などを行った後、収納棚９に裏板１０ｅを固定する必要があり、引出して裏板１０ｅを固定可能な引出し式の収納棚９にしか適用できず、取付構造が複雑で費用が掛かるという問題があった。
【先行技術文献】
【特許文献】
【０００８】
【特許文献１】特開平１１−３４６８４７号公報
【特許文献２】特開２００９−２９３８５３号公報
【発明の概要】
【発明が解決しようとする課題】
【０００９】
そこで、本発明は、上述した問題に鑑みて案出されたものであり、その目的とするところは、簡易で安価な構成でビルトイン機器と床との隙間を覆って見栄えを良くすることができ、什器とビルトイン機器とのデザイン的な統一感を出すことができる足元化粧材の取付構造を提供することにある。
【課題を解決するための手段】
【００１０】
第１発明に係る足元化粧材の取付構造は、システムキッチンや家具などの什器に予め組み込まれた床置き型のビルトイン機器と床との隙間を覆う足元化粧材の取付構造であって、折曲げ成形された足元化粧材と、前記ビルトイン機器と接合する一対の取付具と、これらの一対の取付具に接合された裏板と、を備え、前記足元化粧材は、矩形状の前面プレートと、この前面プレートの上端で折り返された上面プレートと、この上面プレートの後端で折り返されて前記上面プレートとの直交面を有する背面プレートと、を有し、前記裏板は、前記背面プレートより幅が短く左右に指を挿入可能な隙間が形成されているとともに、板ナットを介して前記背面プレートにボルト接合されていることを特徴とする。
【００１１】
第２発明に係る足元化粧材の取付構造は、第１発明において、前記足元化粧材は、鋼板から折曲げ加工されていることを特徴とする。
【００１２】
第３発明に係る足元化粧材の取付構造は、第１発明又は第２発明において、前記背面プレートには、上下に長い長孔が穿設され、前記裏板とのボルト接合が上下調整可能となっていることを特徴とする。
【００１３】
第４発明に係る足元化粧材の取付構造は、第１発明ないし第３発明の何れかの発明において、前記取付金具には、前方に斜面を有する直角三角形状の歯が形成され、前記ビルトイン機器に対して前方へ引出し自在に接合可能となっていることを特徴とする。
【００１４】
第５発明に係る足元化粧材の取付構造は、第１発明ないし第４発明の何れかの発明において、前記足元化粧材は、前記前面プレートの下端が折り返された底面プレートを有し、この底面プレートには、前記前面プレートの面と段違いに後退した面を有する蹴込部が形成されていることを特徴とする。
【００１５】
第６発明に係る足元化粧材の取付構造は、システムキッチンや家具などの什器に予め組み込まれた床置き型のビルトイン機器と床との隙間を覆う足元化粧材の取付構造であって、折曲げ成形された足元化粧材と、前記ビルトイン機器と接合する一対の取付具と、これらの一対の取付具に接合された裏板と、を備え、前記足元化粧材は、矩形状の前面プレートと、この前面プレートの上端で折り返された上面プレートと、この上面プレートの後端で折り返されて前記上面プレートとの直交面を有する背面プレートと、を有し、前記足元化粧材と前記裏板とは、いずれか一方に先端が丸い突起が形成され、他方に前記突起と係合する係合凹部が形成されていることを特徴とする。
【発明の効果】
【００１６】
第１発明〜第５発明によれば、ボルトの頭を足元化粧材の前面プレートで隠した状態でビルトイン機器の取付具と足元化粧材とのボルト接合が可能となる。このため、簡易で安価な構成により、ビルトイン機器と床との隙間を覆って見栄えを良くすることができるだけでなく、足元化粧材と周囲の什器とのデザイン的な統一感を出すことができる。また、複数種類のデザインにも安価に対応することができる。その上、取付具と足元化粧材との接合が、接着剤や面ファスナーによる接合ではなく、ボルト接合であるため、経年的に耐久性の高いものとすることができる。
【００１７】
特に、第２発明によれば、足元化粧材が鋼板から折曲げ加工された板金であるので、樹脂成形品や、鋳造物、ダイキャスト製品からなる足元化粧材と相違して、製品の種類ごとに高価な金型を作る必要がなくなり、製造コストを低減することができる。
【００１８】
特に、第３発明によれば、背面プレートには、上下に長い長孔が穿設され、裏板とのボルト接合が上下調整可能となっているので、足元化粧材の上下調整が容易である。
【００１９】
特に、第４発明によれば、取付具がビルトイン機器に対して前方へ引出し自在に接合可能となっているので、足元化粧材の設置時に、ビルトイン機器の足元化粧材と周りの什器の足元化粧材を面一とすることが容易である。また、足元化粧材を後方へ押し込む力が作用した場合でも、取付具の直角三角形状の歯の斜辺に対する対辺部分で係止されることとなり、掃除等で設置後に足元化粧材が押圧されて設置位置がずれてしまうおそれがない。
【００２０】
特に、第５発明によれば、足元化粧材には蹴込部が形成されているので、立っている人の目線からは足元化粧材の下端が視認できず、足元化粧材と床面との間に小さな隙間が生じた場合でも隙間を目立たないようにすることができる。
【００２１】
第６発明によれば、ボルトの頭が足元化粧材の前面に露出することがなく、足元化粧材の着脱が極めて容易である。また、簡易で安価な構成により、ビルトイン機器と床との隙間を覆って見栄えを良くすることができるだけでなく、足元化粧材と周囲の什器とのデザイン的な統一感を出すことができる。その上、複数種類のデザインにも安価に対応することができる。
【図面の簡単な説明】
【００２２】
【図１】本発明の第１実施形態に係る足元化粧材の取付構造を示す正面斜視図である。
【図２】同上の足元化粧材の取付構造を示す背面斜視図である。
【図３】同上の足元化粧材の取付構造を示す背面分解斜視図である。
【図４】同上の足元化粧材の取付構造を示す分解平面図である。
【図５】同上の足元化粧材の取付構造を示す図４のＡ−Ａ線断面図である。
【図６】同上の足元化粧材の取付構造の背面プレートと裏板とのボルト接合部を拡大して示す裏面拡大斜視図である。
【図７】同上の足元化粧材の取付構造を前倒式扉のビルトイン機器に適用した場合を示す斜視図であり、（ａ）が扉を閉めた状態、（ｂ）が扉を開いた状態を示す。
【図８】本発明の第２実施形態に係る足元化粧材の取付構造を示す分解側面図である。
【発明を実施するための形態】
【００２３】
以下、本発明を適用した足元化粧材の取付構造を実施するための形態について、図面を参照しながら詳細に説明する。
【００２４】
［第１実施形態］
先ず、図１〜図６を用いて、本発明の第１実施形態に係る足元化粧材の取付構造について説明する。図１は、本発明の第１実施形態に係る足元化粧材の取付構造を示す正面斜視図であり、図２は、その背面斜視図、図３は、その背面分解斜視図である。また、図４は、第１実施形態に係る足元化粧材の取付構造を示す分解平面図であり、図５は、そのＡ−Ａ線断面図である。
【００２５】
本発明の第１実施形態に係る足元化粧材の取付構造１は、システムキッチンや家具などの什器に予め組み込まれた床置き型のビルトイン機器と床との隙間を覆って見栄えを良くする足元化粧材の取付構造である。ここで、床置き型のビルトイン機器とは、天井や壁に埋め込まれたものを除き、床に直接据え付けるタイプのビルトイン機器を指す。また、ビルトイン機器とは、例えば、システムキッチンに組み込まれた食器洗浄機やオーブン、又はシステム家具に組み込まれた洗濯機などが挙げられる。
【００２６】
図１〜図５に示すように、本発明の第１実施形態に係る足元化粧材の取付構造１は、足元化粧材２と、ビルトイン機器と接合する一対の取付具３と、これらの一対の取付具３を繋ぐ裏板４と、を備えている。
【００２７】
足元化粧材２は、ビルトイン機器と床との隙間を覆って見栄えを良くする機能を有し、一般的に、周りの什器と統一感のあるデザインとされる。例えば、什器がシステムキッチンである場合は、システムキッチの蹴込み板と足元化粧材２の表面材の色を統一したり、面材を同一としたりすることが行われる。
【００２８】
（足元化粧材）
この足元化粧材２は、鋼板から折曲げ加工された、いわゆる板金からなる化粧カバーであり、図２、図５等に示すように、背面下部に開口が形成された横方向（水平方向）に長い箱状となっている。図１〜図５に示すように、足元化粧材２は、前面プレート２０と、この前面プレート２０の上端から折り返された上面プレート２１と、この上面プレート２１との直交面を有する背面プレート２２と、前面プレート２０との直交面を有する底面プレート２３と、前面プレート２０の左右の端部から折り返された側面プレート２４など、から構成されている。
【００２９】
前面プレート２０は、足元化粧材２の前面に位置する矩形状の部位であり、一番目立つ意匠面となっている。
【００３０】
上面プレート２１は、足元化粧材２の上面に位置する矩形状の部位であり、前面プレート２０の上端と接続し、その端から前面プレート２０の面と前面プレート２０とが直交するように前面プレート２０に対して垂設されている。
【００３１】
背面プレート２２は、足元化粧材２の背面に位置する部位であり、図５等に示すように、上面プレート２１の後端と接続し、２段に直角に折れ曲がった段違い状のプレートであり、上面プレート２１と直交する面を有している。勿論、この背面プレート２２は、上面プレート２１の後端から下方へ直角に折り曲げられた単純な矩形状のプレートであっても構わない。
【００３２】
また、この背面プレート２２には、図３等に示すように、裏板４と接合するための後述のボルトＢ１を挿通するボルト孔２２ａが穿設されている。このボルト孔２２ａは、上下に長い長孔となっており、この上下の長さ分だけ裏板４との上下の高さ調整が可能となっている。
【００３３】
底面プレート２３は、足元化粧材２の底面に位置する部位であり、前面プレート２０に隠れる位置まで前面プレート２０の面と段違い平行に背面側に後退した面を有する蹴込部が形成されている。勿論、この底面プレート２３は、上面プレート２１の後端から下方へ直角に折り曲げられた単純な矩形状のプレートであっても構わない。但し、本実施形態に係る底面プレート２３のように、蹴込部が形成されていることにより、立っている人の目線からは前面プレート２０で隠れて足元化粧材２の下端となる底面プレート２３の下端が視認できない。このため、底面プレート２３と床面との間に小さな隙間が生じた場合でも隙間を目立たないようにすることができる。
【００３４】
側面プレート２４は、足元化粧材２の左右の側面に位置する一対の部位であり、段違い状の背面プレート２２と蹴込部が形成された段違い状の底面プレート２３との間を塞ぐ四角形の対角線上の一対の角が内側へ凹んだ８角形状のプレートである。
【００３５】
（取付具）
取付具３は、ビルトイン機器と接合するための金属製の左右一対の取付金具であり、一般的には、ビルトイン機器を製造する会社から供給される。ビルトイン機器を製造する会社から供給される取付金具を使用することで、什器を製造する会社にとっては、その分製造コストを低減することができる。しかし、従来は、周囲の什器との統一感を優先するため、供給される取付金具を使用しないことが多かった。
【００３６】
また、取付具３は、図１〜図３等に示すように、それぞれ外側に三角形状の複数の歯が形成された歯部３０を備えている。この歯部３０は、図示しないビルトイン機器の板バネ等に係止されるものであり、各歯は、前方に斜面を有する直角三角形状となっている。このため、ビルトイン機器に対して前方へ引出し自在に接合可能となっている。よって、足元化粧材２をビルトイン機器の足元に設置する際に、前述の前面プレート２０と周りの什器の他の足元化粧材の前面と奥行方向の位置調整をして両者を面一とすることが容易である。
【００３７】
一方、ビルトイン機器に対して後方へ押し込む場合は、歯部３０の直角三角形状の各歯の斜辺に対する対辺部分で板バネ等に係止されることとなり、掃除等で設置後に足元化粧材が押圧されて設置位置がずれてしまうおそれがない。
【００３８】
（裏板）
裏板４は、鋼板からなる横長な長方形状のプレートであり、前述の左右一対の取付具３を繋ぐとともに、これらを足元化粧材２と接合する所定の強度及び剛性を有している。
【００３９】
この裏板４は、長手方向となる幅方向の長さが前述の足元化粧材２の幅方向の長さより短くなっており、図２に示すように、裏板４の左右の端部と足元化粧材２の側面プレート２４との間には、それぞれ隙間Ｘが形成されている。この隙間Ｘは、指を１本又は２本程度挿入可能な隙間であることが望ましい。
【００４０】
また、裏板４には、図３に示すように、裏板４と背面プレート２２とを接合するボルトＢ１を挿通する左右一対のボルト孔４ａと、裏板４と取付具３とを接合するボルトＢ２を挿通する左右一対のボルト孔４ｂとが穿設されている。この一対のボルト孔４ａは、ボルト孔４ｂより裏板４の長手方向外側に穿設されている。
【００４１】
（板ナット）
この裏板４は、足元化粧材２の背面プレート２２に板ナット５を介してボルト接合されている。この板ナット５は、図２〜図４に示すように、横方向（水平方向）に長い長方形状の板ナットである。このため、隙間Ｘに指を差し入れ、板ナット５と裏板４の左右の一端を片手で押さえつつ、もう一方の手でボルトＢ１を裏板４のボルト孔４ａと背面プレート２２のボルト孔２２ａに挿通してねじ込むことが容易である（図６参照）。図６は、足元化粧材２の背面プレート２２と裏板４とのボルト接合部を拡大して示す裏面拡大斜視図である。
【００４２】
また、前述のように、背面プレート２２のボルト孔２２ａは、上下に長い長孔となっているので、ボルトＢ１を板ナット５に捩じ込む際に、裏板４と足元化粧材２との位置関係をボルト孔２２ａの上下の長さ分だけ高さ調整可能である。このため、一旦緩くボルトＢ１を板ナット５に締め込んで、高さ調整をすることが極めて容易である。
【００４３】
図７は、第１の実施形態に係る足元化粧材の取付構造を前倒式扉のビルトイン機器に適用した場合を示す斜視図であり、（ａ）が扉を閉めた状態、（ｂ）が扉を開いた状態を示す。以上説明した第１実施形態に係る足元化粧材の取付構造１は、図７に示すように、前倒式扉のビルトイン機器Ｂに特に好適に適用することができる。（ａ）の扉を閉めた状態、と、（ｂ）の扉を開いた状態とを比較すると明らかなように、扉が傾倒する分の可動スペースが必要であり、ビルトイン機器Ｂの足元に隙間が生じ、この隙間を見栄え良く塞ぐ必要があるからである。
【００４４】
以上説明した第１実施形態に係る足元化粧材の取付構造１によれば、ボルトＢ１の頭を足元化粧材２の前面プレート２０で隠した状態でビルトイン機器の取付具３と足元化粧材２とのボルト接合が可能となる。このため、簡易で安価な構成により、ビルトイン機器と床との隙間を覆って見栄えを良くすることができるだけでなく、足元化粧材２と周囲の什器とのデザイン的な統一感を出すことができる。また、複数種類のデザインにも安価に対応することができる。その上、取付具３と足元化粧材２との裏板４を介した接合が、接着剤や面ファスナーによる接合ではなく、いずれもボルト接合であるため、経年的に耐久性の高いものとすることができる。
【００４５】
その上、足元化粧材の取付構造１によれば、足元化粧材２が鋼板から折曲げ加工された板金であるので、樹脂成形品や、鋳造物、ダイキャスト製品からなる足元化粧材と相違して、製品の種類ごとに高価な金型を作る必要がなくなり、製造コストを低減することができる。これに対して従来の足元化粧材は、樹脂製やアルミダイキャストなどからなるものが多く、ビルトイン機器の幅や床との隙間の高さが違うごとに高価な金型が必要であり、複数種類の足元化粧材を揃えることが割高となっていた。
【００４６】
それに加え、足元化粧材の取付構造１によれば、背面プレート２２のボルト孔２２ａは、上下に長い長孔となっているので、裏板４とのボルト接合が上下調整可能となっており、足元化粧材２の上下調整が容易である。
【００４７】
さらに、足元化粧材の取付構造１によれば、足元化粧材２の底面プレート２３には、前面プレート２０に隠れる位置まで前面プレート２０の面と段違い平行に後退した面を有する蹴込部が形成されている。背面側に後退して蹴込部が形成されているので、立っている人の目線からは足元化粧材の下端が視認できず、足元化粧材２と床面との間に小さな隙間が生じた場合でも隙間を目立たないようにすることができる。
【００４８】
次に、図８を用いて、本発明の第２実施形態に係る足元化粧材の取付構造について説明する。図８は、本発明の第２実施形態に係る足元化粧材の取付構造を示す分解側面図である。第２実施形態に係る足元化粧材の取付構造１’が、第１実施形態に係る足元化粧材の取付構造１と相違する点は、裏板４と背面プレート２２との接合が、ボルトＢ１と板ナット５によるボルト接合ではなく、樹脂成形品からなる係合手段となっている点だけである。よって、同一構成は同一符号を付し、説明を省略する。
【００４９】
この係合手段は、裏板４’に貼着された丸い突起を有する樹脂成形品６’と、側面プレート２４に貼着され、樹脂成形品６’の丸い突起と係合する係合凹部が形成された樹脂成形品６と、からなる。勿論、樹脂成形品６’と樹脂成形品６が貼着されている場所は、裏板４’と側面プレート２４とが逆になっていても構わない。
【００５０】
なお、裏板４’は、前述の裏板４と略同形状であるが、長手方向である幅が裏板４より長く、左右の側面プレート２４間の距離と略同程度となっている。このため、側面プレート２４に貼着された樹脂成形品６’と、裏板４’の両端部に貼着された樹脂成形品６’とが係合可能となっている。
【００５１】
以上説明した第２実施形態に係る足元化粧材の取付構造１’によれば、裏板４’と背面プレート２２との接合がボルト接合でないため、当然、ボルトの頭が足元化粧材の前面に露出することがない。また、足元化粧材２と裏板４’との接合が、樹脂成形品による係合手段による係合であるため、足元化粧材２の着脱が極めて容易である。また、簡易で安価な構成により、ビルトイン機器と床との隙間を覆って見栄えを良くすることができるだけでなく、足元化粧材２と周囲の什器とのデザイン的な統一感を出すことができる。その上、複数種類のデザインにも安価に対応することができる。
【００５２】
以上、本発明の第１実施の形態に係る足元化粧材の取付構造１及び第２実施の形態に係る足元化粧材の取付構造１’について詳細に説明したが、前述した又は図示した実施の形態は、何れも本発明を実施するにあたって具体化した一実施の形態を示したものに過ぎない。よって、これらによって本発明の技術的範囲が限定的に解釈されてはならないものである。
【符号の説明】
【００５３】
１，１’：足元化粧材の取付構造
２：足元化粧材
２０：前面プレート
２１：上面プレート
２２：背面プレート
２２ａ：ボルト孔
２３：底面プレート
２４：側面プレート
３：取付具
３０：歯部
４：裏板
５：長ナット
６、６’：樹脂成型品
Ｂ１，Ｂ２：ボルト
Ｘ：隙間
Ｂ：床置き型のビルトイン機器
【図１】
2018171193.tif 000003
【図２】
2018171193.tif 000004
【図３】
2018171193.tif 000005
【図４】
2018171193.tif 000006
【図５】
2018171193.tif 000007
【図６】
2018171193.tif 000008
【図７】
2018171193.tif 000009
【図８】
2018171193.tif 000010